(57)【特許請求の範囲】
【請求項１】
商品を特定する商品コードを入力するコード入力手段、各計り売り商品の前記商品コード，品名，単価の設定データを商品別に記憶する計り売り商品用ＰＬＵファイル、商品販売量を計量する計量手段及び前記コード入力手段により前記計り売り商品の商品コードが入力されると、その商品コードに対応する品名及び単価を前記計り売り商品用ＰＬＵファイルから読み出し、その品名を表示部に表示させるとともに、その単価で前記計り売り商品の前記計量手段により計量された販売量に応じた値段を算出する演算手段を有する商品計量販売装置と、
商品コードを入力するコード入力手段、前記計り売り商品を含む各商品の前記商品コード，品名，単価の設定データを商品別に記憶するＰＬＵファイル、前記コード入力手段により商品コードが入力されると、その商品コードに対応する品名及び単価を前記ＰＬＵファイルから読出し、その品名を表示部に表示させるとともに、その単価で前記コード入力手段により商品コードが入力された商品の販売金額データを算出する販売金額演算手段、この販売金額演算手段により算出された商品の販売金額データを１取引毎に加算合計する金額合計部、この金額合計部内の金額データに対する会計業務を処理しレシートを発行する会計業務処理手段を有する金銭登録装置とからなる商品販売登録データ処理システムにおいて、
前記商品計量販売装置は、前記演算手段により算出された値段のデータを前記コード入力手段により入力された商品コードとともに可般式記録媒体に書込むデータ書込手段を具備し、
前記金銭登録装置は、前記可般式記録媒体に記録されたデータを読取るデータ読取手段と、このデータ読取手段により前記可般式記録媒体から読取った値段データを前記金額合計部内の金額データに加算する金額加算手段と、前記データ読取手段により前記可般式記録媒体から読取った商品コードに対応する品名データを前記ＰＬＵファイルから読出す品名読出手段と、この品名読出手段により読出された品名データを前記データ読取手段により前記可般式記録媒体から読取った値段データとともに前記レシートに印字する計り売り商品データ印字手段とを具備したことを特徴とする商品販売登録データ処理システム。
【請求項２】
前記データ書込手段は、更に前記計量手段により計量された販売量を、前記演算手段により算出された値段のデータ及び前記コード入力手段により入力された商品コードとともに前記可般式記録媒体に書込む手段であり、
前記計り売り商品データ印字手段は、更に前記可般式記録媒体から読取った販売量データを、前記品名読出手段により読み出された品名データ及び前記データ読取手段により前記可般式記録媒体から読取った値段データとともに前記レシートに印字する手段であることを特徴とする請求項１記載の商品販売登録データ処理システム。
【発明の詳細な説明】
【０００１】
【産業上の利用分野】
本発明は、商品の販売量を計量しその商品販売量に応じた値段を算出する商品計量販売装置と、客買上商品の販売データを記憶部に登録処理するとともにその客買上商品の代金会計業務を処理する金銭登録装置とからなる商品販売登録データ処理システムに関する。
【０００２】
【従来の技術】
この種の商品販売登録データ処理システムは、食肉，サラダ等の食料品を販売員が客からの申し出に応じた量だけ計量して販売する、いわゆる計り売り方式を採用しているスーパーマーケット等で利用されている。
【０００３】
その従来の１構成例としては、計り売り商品を扱う売場に商品計量販売装置として、秤部にて計量した商品重量に応じた値段を算出し、この値段データを買上商品を特定する商品コードとともにバーコードで表したバーコードラベルを印刷発行するラベルプリンタ付料金秤を設置し、かつ各客が買上商品の代金支払いを一括して行う会計場所に金銭登録装置として、バーコードスキャナにて読取ったバーコードに基いて商品販売データを取得し記憶部に登録処理するとともに釣銭演算，レシート発行等を行うＰＯＳ（販売時点情報管理）端末を設置して、計り売り商品も他の商品と同様にバーコードのスキャニング操作により商品販売データをＰＯＳ端末に登録処理できるようにしたものがあった。
【０００４】
【発明が解決しようとする課題】
しかしながら、ラベルプリンタ付料金秤を商品計量販売装置として用いた従来の商品販売登録データ処理システムにおいては、計り売り商品の売場にてラベルプリンタのメンテナンス作業、例えばラベル用紙の用紙切れによる交換作業や用紙詰まり等の異常除去作業に多くの労力を要していた。また、ラベル用紙の台紙は使い捨てのためにコストが掛かる上、店から廃棄物として大量に処分されるので環境面でも弊害があった。
【０００５】
本発明はこのような事情に基いてなされたもので、その目的とするところは、商品計量販売装置にて計量販売された商品に関するデータを金銭登録装置に伝達する手段として繰返し使用できる可搬式の記録媒体を用いることができ、メンテナンス作業に要する労力の大幅な軽減と、経費の節約及び廃棄物の削減による環境面での弊害を無くすことができる商品販売登録データ処理システムを提供しようとするものである。
【０００６】
【課題を解決するための手段】
本発明は、商品を特定する商品コードを入力するコード入力手段、商品販売量を計量する計量手段及びコード入力手段により入力された商品コードで特定される計り売り商品の計量手段により計量された販売量に応じた値段を算出する演算手段を有する商品計量販売装置と、商品コードを入力するコード入力手段、このコード入力手段により商品コードが入力された商品の販売金額データを１取引毎に加算合計する金額合計部、この金額合計部内の金額データに対する会計業務を処理しレシートを発行する会計業務処理手段を有する金銭登録装置とからなる商品販売登録データ処理システムにおいて、商品計量販売装置は、演算手段により算出された値段のデータをコード入力手段により入力された商品コードとともに可般式記録媒体に書込むデータ書込手段を備え、金銭登録装置は、可般式記録媒体に記録されたデータを読取るデータ読取手段と、このデータ読取手段により可般式記録媒体から読取った値段データを金額合計部内の金額データに加算する金額加算手段と、データ読取手段により可般式記録媒体から読取った商品コードに対応する品名データを読出す品名読出手段と、この品名読出手段により読出された品名データをデータ読取手段により可般式記録媒体から読取った値段データとともにレシートに印字する計り売り商品データ印字手段とを備えたものである。
【０００７】
【作用】
このような構成の本発明であれば、商品計量販売装置のコード入力手段により商品を特定する商品コードが入力されるとともに計量手段により当該商品の販売量が計量されると、その商品販売量に応じた値段が算出される。そして、この値段データが当該商品の商品コードとともにデータ書込手段によって可般式記録媒体に書込まれる。
【０００８】
一方、金銭登録装置においては、コード入力手段により１買物客が買上げる商品の商品コードが入力されると、この商品の販売金額データが金額合計部にて合計される。また、データ読取手段によって前記可般式記録媒体に記録されたデータが読取られると、このデータのうち値段データが金額合計部内の金額データに加算される。こうして、１買物客が買上げる全商品の登録を完了すると、金額合計部内の金額データに対する会計業務が処理され、レシートが発行される。このレシートには、可般式記録媒体から読取ったデータのうち商品コードに対応した品名データが同可般式記録媒体から読取った値段データとともに印字される。
【０００９】
このように、商品計量販売装置にて計量販売された商品に関するデータを金銭登録装置に伝達する手段として、繰返し使用できる可搬式記録媒体が用いられる。
【００１０】
【実施例】
以下、本発明の一実施例を図面を参照しながら説明する。
なお、この実施例では、本発明に関わる商品計量販売装置を食肉類を計り売りする食肉売場に設置し、金銭登録装置を食肉売場を含む各種売場でそれぞれ買上げた商品の代金を一括会計する会計場所に設置してなるスーパーマーケットに適用した場合について説明する。
【００１１】
図１はこの実施例における商品販売登録データ処理システムの要部構成を示すブロック図であって、１は商品計量販売装置として機能するメモリカードインタフェース付料金秤（以下、ＭＣＩ／Ｆ付料金秤１と略称する）、２は金銭登録装置として機能するＰＯＳ端末である。なお、ＭＣＩ／Ｆ付料金秤１は、食肉売場に単体で１乃至複数台設置されており、ＰＯＳ端末２は会計場所に複数台設置されていて、各ＰＯＳ端末２はそれぞれ上位のホストコンピュータに通信回線でもって接続されている。
【００１２】
前記ＭＣＩ／Ｆ付料金秤１は、制御部本体としてＣＰＵ（中央処理装置）１０を搭載するとともに、このＣＰＵ１０を制御するためのプログラムデータ等の固定的データが予め設定されたＲＯＭ（リード・オンリ・メモリ）１１と、前記ＣＰＵ１０によるデータの書込み及び読出しが可能なメモリエリアを形成してなるＲＡＭ（ランダム・アクセス・メモリ）１２とを搭載している。
【００１３】
また、可搬式記録媒体として機能するメモリカード３に対してデータの書込み及び読出しを行うメモリカードインタフェース１３、キーボード１４からのキー信号を取込むキーボードコントローラ１５、表示器１６に表示データを送出する表示器インタフェース１７、計量手段を構成する秤部１８にて計量された重量データを取込む秤部インタフェース１９等を搭載しており、前記ＣＰＵ１０と、ＲＯＭ１１，ＲＡＭ１２及び各インタフェース１３，１５，１７，１９とは、アドレスバス，データバス等のバスライン１０１によって相互に接続されている。
【００１４】
キーボード１４は、各計り売り商品をそれぞれ特定するためのＰＬＵコードが予め設定された複数のＰＬＵキーや、秤部１８での計量動作の確定を宣言する確定キー１４ａ等を配設したものである。また、表示器１６は、計り売り商品の品名，単価，重量，値段等を表示するものであって、これらキーボード１４，表示器１６及び秤部１８の各入出力機器は従来周知のラベルプリンタ付料金秤に用いられているものをそのまま適用できる。
【００１５】
一方、前記ＰＯＳ端末２も、制御部本体としてＣＰＵ２０を搭載するとともに主記憶部としてＲＯＭ２１及びＲＡＭ２２を搭載している。また、前記メモリカード３に対してデータの書込み及び読出しを行うメモリカードインタフェース２３も搭載している。
【００１６】
また、ＰＯＳ端末２は、日時を計時するための時計部２４、前記ホストコンピュータとの間で行われるデータ通信を制御するホストインタフェース２５、キーボード２６からのキー信号を取込むキーボードインタフェース２７、バーコードスキャナ２８にて読み取られたバーコードデータを取込むスキャナインタフェース２９、表示器３０に表示データを送出する表示器インタフェース３１、プリンタ３２に印字データを送出するプリンタインタフェース３３、「登録」，「点検」，「精算」，「設定」等の各種業務を選択するためのモードスイッチ３４の信号を入力するとともに、現金等を収容するためのドロワ３５に開放駆動信号を送出するＩ／Ｏポート３６等を搭載しており、前記ＣＰＵ２０と、ＲＯＭ２１，ＲＡＭ２２，時計部２４，Ｉ／Ｏポート３６及び各インタフェース２３，２５，２７，２９，３１，３３とは、アドレスバス，データバス等のバスライン３７によって相互に接続されている。
【００１７】
キーボード２６は、置数キー，乗算キー，小計キー，取消キー，値引キー等の他、１取引の商品登録終了を宣言する登録締め手段として締めキー２６ａを配設したものである。バーコードスキャナ２８は、各商品に付されているバーコードを光学的に読取るもので、定置式やハンド式等がある。表示器３０は、販売登録された商品の品名，値段や客買上商品の合計金額，釣銭額等を表示するもので、キャッシャ用表示器と客用表示器の２種類が備えられている。プリンタ３２は、レシート用紙及びジャーナル用紙に登録商品の品名，値段等の明細データや合計金額，預り金額，釣銭額等の会計データを印字し買上レシートを発行するもので、これらキーボード２６，バーコードスキャナ２８，表示器３０及びプリンタ３２の各入出力機器は従来周知のＰＯＳ端末に用いられているものをそのまま適用できる。
【００１８】
図２は前記ＭＣＩ／Ｆ付料金秤１のＲＡＭ１２に形成される主要なメモリエリアを示す図である。すなわち、このＲＡＭ１２には、特に各計り売り商品のＰＬＵコード，品名及び単位重量（例えば１００グラム）当たりの価格（単価）の設定データと販売重量及び販売金額（値段）の各合計データを商品別に記憶する計り売り商品用ＰＬＵファイル４１と、ＰＬＵコード，品名，単価，販売重量及び販売金額の各データをそれぞれ一時的に記憶するためのワークメモリ４２とが形成されている。
【００１９】
図３は前記ＰＯＳ端末２のＲＡＭ２２に形成される主要なメモリエリアを示す図である。すなわち、このＲＡＭ２２には、特に計り売り商品を含む各商品のＰＬＵコード，品名及び単価の設定データと販売点数及び販売金額の各合計データ（売上データ）を商品別に記憶するＰＬＵファイル５１と、ＰＬＵコード，品名，単価または重量，販売点数及び販売金額の各データをそれぞれ一時的に記憶するためのワークメモリ５２と、１取引として販売登録される全商品の販売金額を加算合計する金額合計部としての合計金額メモリ５３と、１取引の販売商品登録中に“１”にセットされる登録中フラグＦのフラグメモリ５４とが形成されている。
【００２０】
しかして、前記ＭＣＩ／Ｆ付料金秤１のＣＰＵ１０は、特に図４の流れ図に示す手順によって１計り売り商品の販売業務を処理するようにプログラム制御されている。
【００２１】
すなわち、ＳＴ（ステップ）１としてキーボード１４のＰＬＵキーにより１計り売り商品のＰＬＵコードが入力されると、ＳＴ２として前記計り売り商品用ＰＬＵファイル４１を検索し、入力されたＰＬＵコードがプリセットされているか否かを判断する。そして、プリセットされていない場合にはエラーとする。
【００２２】
ＳＴ２にて入力ＰＬＵコードが計り売り商品用ＰＬＵファイル４１にプリセットされている場合には、ＳＴ３としてその入力ＰＬＵコードに対応する品名及び単価のプリセットデータを読出し、入力ＰＬＵコードとともにワークメモリ４２のＰＬＵコードエリア，品名エリア及び単価エリアにそれぞれセットする。
【００２３】
次に、ＳＴ４として秤部１８からの重量データを秤部インタフェース１９を介して取込んだならば、ＳＴ５としてこの重量データにワークメモリ４２内の単価データを乗じることにより金額（値段）を算出する（演算手段）。しかる後、ＳＴ６としてワークメモリ４２内の品名データ及び単価データと、上記重量データ及び金額データをそれぞれ表示器１６に表示する。
【００２４】
以後、ＳＴ７としてキーボード１４の確定キー１４ａが操作入力されるまで上記ＳＴ４，ＳＴ５及びＳＴ６の処理を繰り返す。そして、ＳＴ７にて確定キー１４ａの操作入力を検知したならば、ＳＴ８として現時点における秤部１８からの重量データ及び算出された金額データをワーリエリア４２の販売重量エリア及び販売金額エリアにセットする。また、ＳＴ９として上記ワークメモリ４２内の重量データ及び金額データを計り売り商品用ＰＬＵファイル４１の入力ＰＬＵコードに対応する重量合計データ及び金額合計データにそれぞれ加算する。
【００２５】
次に、ＳＴ１０としてメモリカードインタフェース１３にメモリカード３が装着されているか否かを判断し、装着されていない場合にはカード装着を促すメッセージを発して装着されるのを待機する。そして、メモリカード３の装着有りを検知したならば、ＳＴ１１としてこのメモリカード３に、図５に示す如く、ワークメモリ４２内のＰＬＵコード，販売重量データ及び販売金額データからなる計量販売データを書込む。
【００２６】
しかる後、ＳＴ１２としてメモリカードインタフェース１３からメモリカード３が抜き取られるのを待機し、抜き取られたならば今回の１計り売り商品の販売業務を終了する。
【００２７】
ここに、データ書込手段は、ＭＣＩ／Ｆ付料金秤１のメモリカードインタフェース１３と、図４中ＳＴ１１の処理実行に関わる制御部（ＣＰＵ１０，ＲＯＭ１１）によって構成される。
【００２８】
一方、前記ＰＯＳ端末２のＣＰＵ２０は、モードスイッチ３４により「登録」モードが選択されているとき、図６の流れ図に示す処理を実行するようにプログラム制御されている。
【００２９】
すなわち、ＣＰＵ２０は、バーコードスキャナ２８からのバーコードデータ入力、メモリカードインタフェース２３からのカードデータ入力及びキーボード２６からのキーデータ入力を常時待機しており、バーコードデータを入力した場合にはスキャナ入力処理を実行し、カードデータを入力した場合にはカード入力処理を実行し、キーデータを入力した場合にはキー入力処理を実行する。
【００３０】
始めに、スキャナ入力処理について、図７の流れ図を用いて説明する。
ＣＰＵ２０は、スキャナインタフェース２９を介してバーコードデータを入力したならば、ＳＴ２１としてそのバーコードデータが各商品を特定するＰＬＵコードを示すものか否かを判断する。そして、ＰＬＵコード以外のバーコードデータの場合には、本発明とは直接関係のないバーコードがバーコードスキャナ２８で読取られたので、他の処理を実行する。
【００３１】
ＳＴ２１にて入力されたバーコードデータがＰＬＵコードであることを確認した場合には、バーコードスキャナ２８により客買上商品に付されたバーコードが読取られたので、ＳＴ２２としてフラグメモリ５４に登録中フラグＦがセットされているか否かを判断する。ここで、セットされていない場合には、１買物客が買上げる商品の最初の販売登録なので、上記登録中フラグＦを“１”にセットするとともに合計金額メモリ５３を“０”クリアする。ＳＴ２２にて既に登録中フラグＦがセットされていた場合には、１買物客が買上げる２点目以降の販売登録なので、上記処理は行わない。
【００３２】
次に、ＳＴ２３として前記ＰＬＵファイル５１を検索し、入力されたバーコードデータのＰＬＵコードがプリセットされているか否かを判断する。そして、プリセットされていない場合にはエラーとする。
【００３３】
ＳＴ２３にて該当ＰＬＵコードがＰＬＵファイル５１にプリセットされている場合には、ＳＴ２４としてそのＰＬＵコードに対応する部門，品名及び単価のプリセットデータを読出し、ＰＬＵコードとともにワークメモリ５２のＰＬＵコードエリア，部門エリア，品名エリア及び単価または重量エリアにそれぞれセットする。
【００３４】
次に、ＳＴ２５としてワークメモリ内の単価データに点数データを乗じることにより金額を算出し、この点数データ及び金額データをワークメモリ５２の販売点数エリア及び販売金額エリアにそれぞれセットする。なお、上記点数データは、このスキャナ入力処理を開始する直前に置数キーと乗算キーとにより乗数入力が行われていた場合にはその乗数を点数データとし、入力されていない場合には“１”を点数データとする。
【００３５】
次に、ＳＴ２６として上記ワークメモリ５２内の点数データ及び金額データをＰＬＵファイル５１の該当ＰＬＵコードに対応する売上点数データ及び売上金額データにそれぞれ加算することにより商品販売データを記憶部に登録処理する（登録処理手段）。また、ＳＴ２７として上記ワークメモリ５２内の金額データを合計金額メモリ５３内の金額データに加算する。
【００３６】
しかる後、ＳＴ２８として上記ワークメモリ５２内の品名データ及び金額データを表示器３０に表示するとともに、ＳＴ２９として同じくワークメモリ５２内の品名データ，単価データ，点数データ及び金額データをプリンタ３２によりレシート用紙及びジャーナル用紙に印字したならば、今回のスキャナ入力処理を終了する。
【００３７】
なお、キーボード２６からもＰＬＵコードの入力は可能であり、「登録」モードにおいてＰＬＵコードがキー入力された場合も上記スキャナ入力処理と同様にして商品販売データの登録処理が行われる。
【００３８】
次に、カード入力処理について、図８の流れ図を用いて説明する。
ＣＰＵ２０は、メモリカードインタフェース２３を介してカードデータを入力したならば、ＳＴ３１としてそのカードデータが図５に示す計量販売データか否かを判断する。そして、計量販売データ以外のカードデータの場合には、本発明とは直接関係のないメモリカードのデータが入力されたので、他の処理を実行する。
【００３９】
ＳＴ３１にて入力されたカードデータが計量販売データであることを確認した場合には、ＭＣＩ／Ｆ付料金秤１のデータ書込手段によって計量販売データが書込まれたメモリカード３がメモリカードインタフェース２３に装着されたので、ＳＴ３２としてフラグメモリ５４に登録中フラグＦがセットされているか否かを判断する。ここで、セットされていない場合には、１買物客が買上げる商品の最初の販売登録なので、上記登録中フラグＦを“１”にセットするとともに合計金額メモリ５３を“０”クリアする。ＳＴ３２にて既に登録中フラグＦがセットされていた場合には、１買物客が買上げる２点目以降の販売登録なので、上記処理は行わない。
【００４０】
次に、ＳＴ３３として前記ＰＬＵファイル５１を検索し、入力された計量販売データ中のＰＬＵコードがプリセットされているか否かを判断する。そして、プリセットされていない場合にはエラーとする。
【００４１】
ＳＴ３３にて該当ＰＬＵコードがＰＬＵファイル５１にプリセットされている場合には、ＳＴ３４としてそのＰＬＵコードに対応する部門及び品名のプリセットデータを読出し、ＰＬＵコードとともにワークメモリ５２のＰＬＵコードエリア，部門エリア及び品名エリアにそれぞれセットする。また、ワークエリア５２の単価または重量エリアと販売金額エリアとには、メモリカード３から読取った計量販売データ中の販売重量データと販売金額データとをそれぞれセットし、販売点数エリアには“１”を点数データとしてセットする。
【００４２】
次に、ＳＴ３５として上記ワークメモリ５２内の点数データ及び金額データをＰＬＵファイル５１の該当ＰＬＵコードに対応する売上点数データ及び売上金額データにそれぞれ加算する。また、ＳＴ３６として上記ワークメモリ５２内の金額データを合計金額メモリ５３内の金額データに加算する。
【００４３】
しかる後、ＳＴ３７として上記ワークメモリ５２内の品名データ及び金額データを表示器３０に表示するとともに、ＳＴ３８として同じくワークメモリ５２内の品名データ，重量データ及び金額データをプリンタ３２によりレシート用紙及びジャーナル用紙に印字したならば、今回のカード入力処理を終了する。
【００４４】
ここに、データ読取り手段は、メモリカードインタフェース２３と、図８中ＳＴ３１の処理実行に関わる制御部（ＣＰＵ２０，ＲＯＭ２１）によって構成される。また、金額加算手段は、図８中ＳＴ３６の処理実行に関わる制御部（ＣＰＵ２０，ＲＯＭ２１）によって構成される。
【００４５】
次に、キー入力処理のうち特に締めキー２６ａの入力処理について、図９の流れ図を用いて説明する。
ＣＰＵ２０は、キーボードインタフェース２７を介してキーデータを取込んだならば、図９のＳＴ４１としてそのキーデータが締めキー２６ａのキー操作により発生したデータか否かを判断する。そして、締めキー２６ａ以外のキー操作により発生したデータであることを確認した場合には、他の処理を実行する。
【００４６】
ＳＴ４１にて締めキー２６ａのキー操作によるキーデータであることを確認した場合には、ＳＴ４２としてフラグメモリ５４に登録中フラグＦがセットされているか否かを判断する。ここで、セットされていない場合には、１買物客が買上げる商品の販売登録が行われる前に登録終了を宣言した誤操作なので、エラーとする。
【００４７】
ＳＴ４２にて登録中フラグＦが“１”にセットされている場合には、ＳＴ４３として預り金額データから合計金額メモリ５３内の合計金額データを減額することにより釣銭額を算出し、ＳＴ４４としてこの釣銭額を表示器３０に表示する。なお、上記預り金額データは、この締めキー処理を開始する直前に置数キーにより置数が行われていた場合にはその数値データを預り金額データとし、置数が行われていない場合には合計金額メモリ５３内の金額データを預り金額データとする。
【００４８】
次に、ＳＴ４５として上記合計金額データ，預り金額データ及び釣銭額データをプリンタ３２によりレシート用紙及びジャーナル用紙に印字したならば、ＳＴ４６としてプリンタにレシート切断命令を送出してレシート用紙を切断することによりレシートを発行する。しかる後、ＳＴ４７としてドロワ３５に対して開放駆動信号を送出してドロワ３５を自動開放させるとともに、ＳＴ４８としてフラグメモリ５４内の登録中フラグＦを“０”にリセットしたならば、今回の締めキー処理を終了する（会計業務処理手段）。
【００４９】
このように構成された本実施例においては、食肉等を計り売りする売場には、ＭＣＩ／Ｆ付料金秤１の他に、複数枚のメモリカード３を用意しておく。そして、この売場担当の販売員は、客から購入を希望する商品の名前と分量の申し出を受けたならば、先ず、ＭＣＩ／Ｆ付料金秤１のキーボード１４に設けられたＰＬＵキーを操作して該当商品のＰＬＵコードを入力する。次いで、秤部１８にて該当商品の計量を行う。そして、客が申し出た分量を計量したならば確定キー１４ａを押下した後、メモリカードインタフェース１３にメモリカード３を１枚装着する。なお、メモリカード３を装着するタイミングはＰＬＵコードの入力前あるいは確定キー１４ａの入力前であってもよい。
【００５０】
以上の販売作業により、上記メモリカード３には、該当商品のＰＬＵコードと、確定した重量データと、この重量に応じた該当商品の金額（値段）データとが自動的に書込まれるので、販売員はメモリカードインタフェース１３から上記メモリカード３を抜き取って包装した商品とともに客に渡す。
【００５１】
一方、客は販売員から受取った商品とメモリカードを例えば店備え付けの買物籠に他の買上商品とともに入れ、店内での買物を終了したならば、その買物籠を持って会計場所まで行く。
【００５２】
そうすると、会計場所にてＰＯＳ端末２を操作する店員、いわゆるキャッシャは、買物客から買物籠を受取ると、その籠の中に入っている客買上商品の販売データをＰＯＳ端末２に１品ずつ登録する。
【００５３】
この場合において、計り売り商品以外の商品の場合には、その商品を特定する商品コードつまりはＰＬＵコードを入力手段としてのバーコードスキャナ２８またはキーボード２６から入力することにより登録する。こうすることにより、この登録商品の販売点数，販売金額の販売データがＰＬＵファイル５１にＰＬＵコード別に累計されるとともに、販売金額が合計金額メモリ５３に加算される。なお、合計金額メモリ５３は１買物客に対する最初の登録商品のＰＬＵコード入力に応動して“０”クリアされている。
【００５４】
これに対し、計り売り商品の場合には、該当するメモリカード３をメモリカードインタフェース２３に装着することによって登録する。こうすることにより、このメモリカード２３に記録されているＰＬＵコード，販売重量データ及び販売金額データが読取られ、ＰＬＵファイル５１から該当ＰＬＵコードに対応する品名等のプリセットデータが読出される。そして、計り売り以外の商品の登録の場合と同様に、品名及びカードデータ中の販売金額が表示器３０に表示されるとともに、プリンタ３２によりレシート用紙及びジャーナル用紙に品名，販売重量，販売金額等の明細データが印字される。また、ＰＬＵファイル５１の該当ＰＬＵコードに対応する売上点数データ及び売上金額データに販売点数＝１と販売金額とがそれぞれ累計される。さらに、販売金額が合計金額メモリ５３に加算される。なお、１買物客に対する最初の登録商品の際にメモリカード３をメモリカードインタフェース２３に装着した場合には、それに応動して合計金額メモリ５３が“０”クリアされる。
【００５５】
こうして、１買物客が買上げる全商品の登録を完了したならば、キャッシャは締めキー２６ａを操作して登録終了を宣言する。こうすることにより、ＰＯＳ端末２においては、計り売り商品を含む全商品の合計金額に対する会計業務が処理されて、釣銭の表示，レシート発行等が行われるので、キャッシャは必要に応じて釣銭とレシートを客に渡す。
【００５６】
また、キャッシャは、メモリカード３をメモリカードインタフェース２３から抜き取って回収する。こうして、回収されたメモリカード３は、再び食肉等の売場に持ち込まれて同様に使用されることになる。
【００５７】
このように、本実施例によれば、計り売り商品の売場に設置されているＭＣＩ／Ｆ付料金秤１において計量販売された計り売り商品に関するデータ、すなわちＰＬＵコード，販売重量及び販売金額の計量販売データを、会計場所に設置されているＰＯＳ端末２に伝達するための手段として、メモリカードインタフェース１３，２３によってデータの書込み及び読取りが自在なメモリカード３を用いることができる。
【００５８】
従って、バーコードラベルに計量販売データを印字するラベルプリンタ付料金秤を使用していた従来に比べて、プリンタのメンテナンス作業に要する労力を無くすことができる。また、バーコードラベルを包装した商品に貼り付ける面倒な作業も無くなるので、労力は大幅に軽減される。しかも、用紙切れや紙詰まりによって買物客を待たせるようなこともなくなり、無駄のない効率的な計り売り業務を実現できる。
【００５９】
また、メモリカード３は何度でも繰返し使用することができるので、使い捨てのバーコードラベルを使用していた従来に比べてコストを低減できる上、廃棄物処理に関する環境問題への弊害も無くなる。
【００６０】
さらに、ＭＣＩ／Ｆ付料金秤１は、計量販売データをメモリカード３に書込んだ後、このメモリカード３がメモリカードインタフェース１３から抜き取られるまでその後の計量販売動作を禁止している。従って、販売員がメモリカード３を抜き取るのを忘れて次客の計量販売を行おうとしてもできないので、メモリカード３に書き込まれた前客に対する計量販売データを確実に保護できる。なお、この場合において、メモリカード３にデータを書込み後、カードの抜取りを警告する表示やブザー音等を発する手段をＭＣＩ／Ｆ付料金秤１に設けることによって、その効果はより大きなものとなる。
【００６１】
なお、前記実施例では商品計量販売装置として秤部１８を有するＭＣＩ／Ｆ付料金秤１を例示し、商品販売量を重さとして計量する場合を示したが、例えば布地を販売するときのように商品販売量を長さとして計測しその商品販売量に応じた料金を算出するような商品計量販売装置や、飲料水を販売するときのように商品販売量を体積として計測しその商品販売量に応じた料金を算出するような商品計量販売装置等にも本発明を適用することもできる。
【００６２】
また、前記実施例では可搬式記録媒体としてメモリカード３を用いたが、これに限定されるものではなく、磁気カード，光カード等であってもよい。また、フロッピーディスクドライバを商品計量販売装置及び金銭登録装置にそれぞれ設けることによって、プロッピーディスクを使用することも可能である。
【００６３】
さらに、前記実施例ではＭＣＩ／Ｆ付料金秤１において１つの計り売り商品を計量販売する毎にメモリカード３の抜き差しを行うようにしたが、１買物客が複数種の計り売り商品を買上げる場合は全商品の計量販売データを１枚のメモリカード３に書き込めるようにするとよい。すなわち、ＭＣＩ／Ｆ付料金秤１のＲＡＭ１２にワークメモリ４２を複数設ける。そして、ＭＣＩ／Ｆ付料金秤１のＣＰＵ１０は、図１０に示すように、前記実施例における図４のＳＴ１〜ＳＴ９までの処理と同様の処理を、計量販売データのセット先となるワークメモリ４２を順に異ならせながら、ＳＴ１３として１客に対する計り売り終了を宣言する終了キーが入力されるまで繰り返し、終了キーの入力を検知したならばメモリカード３に各ワークメモリ４２の内容を全て書込むようにプログラム構成する。このような構成により、１買物客が複数種の計り売り商品を買上げる場合は全商品の計量販売データを１枚のメモリカード３に書き込むことができるので、複数種の計り売り商品を買上げる客に対してのメモリカード３の取扱いが容易になる。
【００６４】
また、計り売り商品が１種類しかない場合には、商品計量販売装置が可搬式記録媒体に書込む計量販売データからＰＬＵコードを省略することができる。この場合、金銭登録装置においては可搬式記録媒体から読取った計量販売データは全て１商品のデータであるとして登録処理することになる。
【００６５】
また、計り売り商品が１種類しかない場合には、客自身が商品を希望する量だけ計量して購入するセルフサービスを導入することも可能である。同様に、近年では金銭登録装置として客自身が買上商品に付されているバーコードを読取り操作するセルフスキャニング方式のものが考えられており、この種の金銭登録装置にも可搬式記録媒体のデータ読取装置を付加することによって、会計業務のセルフサービス導入が可能となる。
【００６６】
また、前記実施例においてＭＣＩ／Ｆ付料金秤１をホストコンピュータに回線接続して、計り売り商品用ＰＬＵファイル４１のデータを収集可能に構成した場合には、各計り売り商品の販売データはこの計り売り商品用ＰＬＵファイル４１に登録処理されているので、ＰＯＳ端末２におけるカード入力処理において、計り売り商品の販売データをＰＬＵファイル５１に登録処理するのを省略することも可能である。
【００６７】
この他、本発明の要旨を逸脱しない範囲で種々変形実施可能であるのは勿論である。
【００６８】
【発明の効果】
以上詳述したように本発明によれば、商品計量販売装置にて計量販売された商品に関するデータを金銭登録装置に伝達する手段として繰返し使用できる可搬式の記録媒体を用いることができ、メンテナンス作業に要する労力の大幅な軽減と、経費の節約及び廃棄物の削減による環境面での弊害を無くすことができる商品販売登録データ処理システムを提供できる。
【図面の簡単な説明】
【図１】本発明の一実施例における商品販売登録データ処理システムの要部構成を示すブロック図。
【図２】同実施例におけるＭＣＩ／Ｆ付料金秤のＲＡＭに形成される主要なメモリエリアを示す図。
【図３】同実施例におけるＰＯＳ端末のＲＡＭに形成される主要なメモリエリアを示す図。
【図４】同実施例におけるＭＣＩ／Ｆ付料金秤のＣＰＵが実行する計り売り商品販売業務処理を示す流れ図。
【図５】同実施例においてメモリカードに記録される計量販売データのフォーマットを示す図。
【図６】同実施例におけるＰＯＳ端末のＣＰＵが実行する登録業務処理を示す流れ図。
【図７】図６におけるスキャナ入力処理の要部を具体的に示す流れ図。
【図８】図６におけるカード入力処理の要部を具体的に示す流れ図。
【図９】図６におけるキー入力処理の要部を具体的に示す流れ図。
【図１０】本発明の他の実施例におけるＭＣＩ／Ｆ付料金秤のＣＰＵが実行する計り売り商品販売業務処理を示す流れ図。
【符号の説明】
１…メモリカードインタフェース付料金秤（商品計量販売装置）
２…ＰＯＳ端末（金銭登録装置）
３…メモリカード（可搬式記録媒体）
１０，２０…ＣＰＵ
１１，２１…ＲＯＭ
１３，２３…メモリカードインタフェース
１４，２６…キーボード
１８…秤部
２６ａ…締めキー
４１…計り売り商品用ＰＬＵファイル
５１…ＰＬＵファイル
５３…合計金額メモリ
【図１】
0003681778.tif 000002
【図２】
0003681778.tif 000003
【図３】
0003681778.tif 000004
【図４】
0003681778.tif 000005
【図５】
0003681778.tif 000006
【図６】
0003681778.tif 000007
【図７】
0003681778.tif 000008
【図８】
0003681778.tif 000009
【図９】
0003681778.tif 000010
【図１０】
0003681778.tif 000011